(57)【特許請求の範囲】
【請求項１】
容器が上下に挿入される受孔を有するトレイと、
車体に装備され該トレイを収納保持および少なくとも該受孔を含む部分を表出するように案内する収納室および被係止部を持つ基体と、
該トレイと該基体との間に配設され該トレイを該収納室より表出する方向に付勢するトレイ付勢手段と、
該トレイに摺動自在に配設され該トレイが該収納室に収納された状態で該基体の該被係止部と係止する係止部材と、
該トレイに配設され該係止部材を係止方向に付勢する係止付勢手段と、
該トレイに摺動自在に配設され、かつ該トレイ付勢手段の付勢方向に抗する方向に押圧され該係止付勢手段に抗して該係止部材を駆動し該被係止部より解除する押圧ボタンと、
該押圧ボタンを反押圧方向に付勢し該トレイ付勢手段より付勢力の弱いボタン付勢手段と、を有し、
該係止部材は該押圧ボタンの押圧方向に延びる貫通孔を持ち、該貫通孔を区画する先端に向かう壁面は傾斜面を形成し、
該押圧ボタンは端部が該貫通孔内に挿通されるとともに該係止部材の傾斜面と対向する傾斜面を持ち、
該押圧ボタンを押圧すると、該押圧ボタンの傾斜面が該係止部材の傾斜面と当接し、該押圧ボタンの傾斜面が該係止部材の傾斜面上を滑って該係止部材を反付勢方向に駆動することで、該係止部材を該被係止部より解除し、
該トレイ付勢手段の付勢力に抗して該トレイを押圧し該基体の該収納室に押し込むと該係止付勢手段が作動して該係止部材が駆動されて該基体の該被係止部と係止することを特徴とする容器ホルダ装置。
【発明の詳細な説明】
【０００１】
【産業上の利用分野】
本発明は、例えば、バス、乗用車などの自動車の室内に装備され、缶ジュース、紙コップなどの容器を保持する容器ホルダ装置に関する。
【０００２】
【従来の技術】
従来の容器ホルダ装置として、容器が上下に挿入される受孔を有するトレイと、車体に装備されトレイを少なくとも受孔を含む部分を表出するように案内する収納室をもつ基体と、基体に配設されトレイが収納室に押し込まれる事によりトレイを係止し再度トレイを押し込むと係止が解除されトレイを押し戻す押圧係止・押圧解除装置と、をもつものが知られている。
【０００３】
【発明が解決しようとする課題】
上記従来の容器ホルダ装置では、押圧係止・押圧解除装置を採用している。この押圧係止・押圧解除装置は機能が優れているが反面機構が複雑となる。このため高価となる。
本発明は、上記従来の実情に鑑みてなされたものであって、押圧係止および押圧解除の機能を持つとともに機構が簡単で安価な容器ホルダ装置を提供することを目的とする。
【０００４】
【課題を解決するための手段】
本発明の容器ホルダ装置は、容器が上下に挿入される受孔を有するトレイと、車体に装備され該トレイを収納保持および少なくとも該受孔を含む部分を表出するように案内する収納室および被係止部を持つ基体と、該トレイと該基体との間に配設され該トレイを該収納室より表出する方向に付勢するトレイ付勢手段と、該トレイに摺動自在に配設され該トレイが該収納室に収納された状態で該基体の該被係止部と係止する係止部材と、該トレイに配設され該係止部材を係止方向に付勢する係止付勢手段と、該トレイに摺動自在に配設され、かつ該トレイ付勢手段の付勢方向に抗する方向に押圧され該係止付勢手段に抗して該係止部材を駆動し該被係止部より解除する押圧ボタンと、該押圧ボタンを反押圧方向に付勢し該トレイ付勢手段より付勢力の弱いボタン付勢手段と、を有し、該係止部材は該押圧ボタンの押圧方向に延びる貫通孔を持ち、該貫通孔を区画する先端に向かう壁面は傾斜面を形成し、該押圧ボタンは端部が該貫通孔内に挿通されるとともに該係止部材の傾斜面と対向する傾斜面を持ち、該押圧ボタンを押圧すると、該押圧ボタンの傾斜面が該係止部材の傾斜面と当接し、該押圧ボタンの傾斜面が該係止部材の傾斜面上を滑って該係止部材を反付勢方向に駆動することで、該係止部材を該被係止部より解除し、該トレイ付勢手段の付勢力に抗して該トレイを押圧し該基体の該収納室に押し込むと該係止付勢手段が作動して該係止部材が駆動されて該基体の該被係止部と係止することを特徴とするものである。
【０００５】
【作用】
本発明の容器ホルダ装置では、トレイ付勢手段の付勢力に抗してトレイを基体の収納室の奥に押し込むと係止付勢手段が作動し係止部材が駆動されて基体の被係止部と係止する。これでトレイは基体の収納室に収納保持される。
次にトレイを使用するため、ボタン付勢手段および係止付勢手段の両押圧力に抗して押圧ボタンを押すと、係止部材が駆動されて係止部材が被係止部より解除される。この被係止部の解除によりトレイは被係止部より解除されてフリーとなる。このためトレイ付勢手段の付勢力がトレイを収納室より表出する方向に駆動する。トレイには押圧ボタンを介して押圧力が作用しているが、ボタン付勢手段の付勢力はトレイ付勢手段の付勢力より弱いため、トレイ付勢手段の付勢力が勝ち、トレイは収納室より表出する方向に駆動され、トレイの少なくとも受孔を含む部分が表出する。
【０００６】
これにより、トレイが使用可能となり、この受孔に例えばカップ等を挿入することにより、カップを保持あるいはガイドさせることができる。
係止手段の解除のために押圧ボタンを押圧する必要があるが、機能として押圧係止および押圧解除を達成している。しかも機構が簡単となるため部品点数が少なくなり、組付け作業が少なくなり、かつ安価となる。
【０００７】
【実施例】
以下、本発明を具体化した実施例を図面を参照しつつ説明する。
この容器ホルダ装置は、図１および図２に示すように、本発明の基体を構成するコンソールボックス１とこのコンソールボックス１に摺動自在に保持されたトレイ２とで構成されている。
【０００８】
コンソールボックス１はＡＢＳ樹脂の型成型品で、その下方部分にトレイ２を収納保持する収納室１０が形成されている。この収納室１０はコンソールボックス１の表側面に開口している。図３に示すように、コンソールボックス１の収納室１０を形成する壁部１１とそこに設けられた第１貫通孔１２とで本発明の被係止部を構成している。
【０００９】
トレイ２は、図２に示すように、２つの受孔２０をもつ本体２１とこの本体２１に保持された係止装置３と本体２１に揺動自在に保持された受板部材２２とコンソールボックス１に保持され、本発明のトレイ付勢手段を構成するトレイ付勢バネ（図示せず）とから構成されている。なお、このトレイ付勢バネはコンソールボックス１に保持され、トレイ２の本体２１の裏側に当接し、トレイ２を収納室１０より押し出す方向に常時付勢している。
【００１０】
本体２１は型成型品で、上板２１１、この上板２１１の一端より下方に延びる表部分２１２、両側端より下方に延びる側部分２１３、２１４とからなる。上板２１１の表部分２１２に近い部分に２個の円形状の貫通孔からなる受孔２０を持つ。
表部分２１２とその両側に位置する側部分２１３、２１４は上板２１１の三方を囲むように形成されている。側部分２１３、２１４の厚さ方向の中央部分には、長手方向に延びるガイド溝２１５が形成されている。なお、このガイド溝２１５はコンソールボックス１の収納室１０を形成する内側面に設けられた突条のガイド（図示せず）と嵌合しており、これらガイド溝２１５と突条のガイドによりトレイ２は収納室１０内で摺動自在となっている。
【００１１】
受板部材２２は、通常のもので、リンク機構をもつ複数個の板材で構成され、上板２１１の裏面に揺動自在に保持されている。この受板部材２２は、拘束されていない状態では自重で下側に揺動し、上板２１１より少し離れた下方に上板２１１の受孔２０に差し込まれたカップ等の容器を受ける受板を出現させる。なお、図２は受板部材２２が開いた状態を示している。図１に示すトレイ２が収納された状態では受板部材２２は折り畳まれ、上板２１１の下面と両側部分２１３、２１４の対向する内側面で区画される空間に収納されている。受板部材２２の折り畳は、トレイ２がコンソールボックス１の収納空間１０の奥に収納されるときに収納空間１０のの開口の下側の端部に当接して自動的になされる。
【００１２】
係止装置３は、図３に示すように、本体２１の表部分２１２に一体的に形成された中程に中底３１をもつ角筒状の支壁３３と、図４に全体斜視図を示すボタン３４と、係止部材３５と、本発明の係止付勢手段を構成する係止バネ３６と、本発明のボタン付勢手段を構成するボタンバネ３７とから構成されている。
なお、角筒状の支壁３３と中底３１とでボタン室３３１が形成され本体２１の表部分２１２に開口している。また、中底３１の中央に第２貫通孔３１１を持つとともにこの第２貫通孔３１１を挟んだ両方の辺部にそれぞれ長方形状の第３貫通孔（図示せず）、第４貫通孔（図示せず）を持つ。さらに、支壁３３の中底３１の裏側の互いに対向する壁部にそれぞれ第５貫通孔３３２、第６貫通孔３３３を持つ。そして第５貫通孔３３２および第６貫通孔３３３をもつ壁部と垂直な壁部の互いに対向するそれぞれの内側面に長方形状の低い凸部３３４を持つ。
【００１３】
係止部材３５はその先端が第１傾斜面３５１となり、先端部が細い段部３５２をもつ。そして係止部材３５はその中程に軸方向に延びる方形の第７貫通孔３５３をもち、この第７貫通孔３５３を区画する先端に向かう壁面は第２傾斜面３５４となっている。この係止部材３５は角筒状の支壁３３の第５貫通孔３３２から挿入挿通され、その先端が第６貫通孔３３３に入り段部３５２で支壁３３の内壁面と当接する。図３はこの状態を示し、その第１傾斜面３５１をもつ先端部分は支壁３３を貫通し、コンソールボックス１の収納室１０を形成する壁部１１の第１貫通孔１２に入り、そこで係止されている。また、係止部材３５の後端には係止バネ３６が当接しており、係止部材３５を先端方向に常時付勢している。
【００１４】
ボタン３４は、図４に示すように、ＰＵＳＨと記号が入れられた前板３４１と、この上端及び下端から後方に延びるガイド板３４２、３４３と、前板３４１の裏側からガイド板３４２、３４３の間でかつ平行に後方向に延びる操作扞３４４とからなる。各ガイド板３４２、３４３の後端部分には長方形状のガイド窓３４５および３５６が設けられている。また、操作扞３４４の先端は第３傾斜面３４７となっている。
【００１５】
このボタン３４は、図３に示すように、ボタン室３３１に挿入される。この挿入に際し、２個のボタンバネ３７がボタン３４の前板３４１と中底３１の間に挟持されるようにする。この挿入により、ボタン３４の各ガイド板３４２、３４３は、中底３１の図示しない長方形状の第３貫通孔、第４貫通孔に挿通するとともに、操作扞３４４が中底３１の中央の第２貫通孔３１１に挿通する。そして各ガイド板３４２、３４３の後端は弾性的に一時的に変形して支壁３３の長方形状の低い凸部３３４を乗り越え、支壁３３の各凸部３３４が各ガイド板３４２、３４３の長方形状のガイド窓３４５および３５６に入り込む。また、操作扞３４４の先端は係止部材３５の中程の第７貫通孔３５３に入る。この状態で第７貫通孔３５３の第２傾斜面３５４と操作扞３４４の第３傾斜面３４７とは近接して対向している。
【００１６】
係止装置３は前記した構成を持つ。なお、図３はトレイ２がコンソールボックス１の収納室１０の奥に収納された状態を示しており、図示しないトレイ付勢バネによりトレイ２が収納室１０より押し出される方向に付勢されている。このトレイ付勢バネの付勢力は支壁３３から係止部材３５に伝わり、係止部材３５の先端がコンソールボックス１の収納室１０を形成する壁部１１の第１貫通孔１２の孔壁と当接し、ここで係止されている。このためトレイ２がコンソールボックス１の収納室１０の奥に収納され、その状態が維持される。
【００１７】
トレイ２を使用するには係止装置３のボタン３４を押す。この押圧力はボタンバネ３７の付勢力および係止バネ３６の付勢力に抗してボタン３４を後ろ方向に押す。このボタン３４の押圧、すなわち、その操作扞３４４の押圧により操作扞３４４の第３傾斜面３４７が係止部材３５の第２傾斜面３５４と当接して押圧する。即ち、第３傾斜面３４７が第２傾斜面３５４上を滑り、係止部材３５は図３の図面上左側に押し出される。これにより係止部材３５の先端部とコンソールボックス１の収納室１０を形成する壁部１１の第１貫通孔１２の孔壁との係止すなわち当接が解除される。
【００１８】
この状態でトレイ２はコンソールボックス１より解除されるが、トレイ２は係止装置３を解除するために押圧されたボタン３４の押圧力をボタンバネ３７を介して受けている。トレイ２をコンソールボックス１の収納室１０より押し出すトレイ付勢バネ（図示せず）の付勢力はボタンバネ３７の付勢力より大きいため、トレイ２はコンソールボックス１の収納室１０より押し出される。この状態でボタン３４の押圧を止めることによりトレイ付勢バネ（図示せず）の付勢力によりトレイ２はコンソールボックス１の収納室１０よりトレイ２の受孔２０が飛び出るところまで押し出される。これによりトレイ２が使用可能となる。なお、ボタン３４の押圧を止めることによりボタン３４はボタンバネ３７の付勢力により押し戻され、再び支壁３３の凸部３３４とガイド窓３４５および３５６を形成する部分が当接し図３の状態に戻る。また、操作扞３４４の第３傾斜面３４７と係止部材３５の第２傾斜面３５４との当接が解除されることになり、係止部材３５は係止バネ３６の付勢力により図３上右方向に付勢されている。
【００１９】
トレイ２をコンソールボックス１の収納室１０に収納する場合は、トレイ２自体をトレイ付勢バネ（図示せず）の付勢力に抗して収納室１０内に押し込む。これによりトレイ２は収納室１０の奥に押し込まれていく。そして図３の位置にトレイ２が達したとき、係止バネ３６の付勢力により図３の右方向に付勢されている係止部材３５はその先端がコンソールボックス１の収納室１０を形成する壁部１１の第１貫通孔１２に入り込む。この状態でトレイ２の押圧を止めると、トレイ２は図示しないトレイ付勢バネにより押し戻され、係止部材３５の先端がコンソールボックス１の収納室１０を形成する壁部１１の第１貫通孔１２の孔壁と当接して係止される。これによりケース２はコンソールボックス１の収納室１０に収納された状態で維持される。
【００２０】
本実施例の容器ホルダ装置ではボタンの押圧によりケース２が係止部材３５より解除されて収納室１０より表出し、ケース２が使用可能となる。また、ケース２を収納室１０の奥に押し込むことにより係止部材３５がコンソールボックス１と係止してケース２を収納室１０の奥に係止させることができる。すなわち、ケース２は押圧解除・押圧係止される。
【００２１】
また、本実施例の容器ホルダ装置ではこの押圧解除・押圧係止の機能を少ない部品で達成している。このため本実施例の容器ホルダ装置は組付け作業が容易となり安価となる。
なお、実施例ではコンソールボックスに使用される容器ホルダ装置を説明したが、他の部分に使用する容器ホルダ装置でも良く、実施例のものに限定されず、目的に応じた各種の容器ホルダ装置を採用できる。
【００２２】
【発明の効果】
以上詳述したように、本発明の容器ホルダ装置では、特許請求の範囲記載の構成を採用しているため、部品点数が少なくなり、組付け作業が少なくなり、かつ安価となる。
【図面の簡単な説明】
【図１】実施例の容器ホルダ装置が収納されている状態を示す一部欠損斜視図である。
【図２】実施例の容器ホルダ装置が使用状態となっている状態を示す一部欠損斜視図である。
【図３】図１のＡ−Ａ線で切断した実施例の容器ホルダ装置の係止部材を主とする要部断面図である。
【図４】実施例の容器ホルダ装置の係止部材を構成するボタンの斜視図である。
【符号の説明】
１…コンソールボックスケース（基体）
２…トレイ                          ３…係止装置
１０…収納室                          ２０…受孔
１２…第１貫通孔（被係止部）          ３４…ボタン（押圧ボタン）
３６…係止バネ（係止付勢手段）
３７…ボタンバネ（ボタン付勢手段）
【図１】
0003665097.tif 000002
【図２】
0003665097.tif 000003
【図３】
0003665097.tif 000004
【図４】
0003665097.tif 000005